(57)【要約】      （修正有）【課題】自動伴奏される２つの伴奏パターンを切り換えるタイミングで感覚される不連続感を低減すること。【解決手段】複数伴奏パターンのうちの１つの伴奏パターンを自動伴奏する自動伴奏部、入力装置の操作に基づいて切換タイミングｔ１を検出する伴奏切換部とを更に備えている。自動伴奏部は、切換タイミングｔ１で複数伴奏パターンのうちの第１パターンから複数伴奏パターンのうちの第２パターンに移行して自動演奏する場合で、切換タイミングｔ１より前の第１時刻ｔ２に鳴り始めて切換タイミングｔ１より後の第２時刻ｔ３に鳴り終わる第１楽音１１を第１パターンが有している。切換タイミングｔ１より前の第３時刻ｔ４に鳴り始めて切換タイミングｔ１より後の第４時刻ｔ５に鳴り終わる第２楽音１２を第２パターンが有している。第１楽音１１の音高が第２楽音１２の音高と等しいときに、第１楽音１１が第４時刻ｔ５に鳴り終わるように自動伴奏する。【選択図】図２
2006292954.tif 000002
【特許請求の範囲】
【請求項１】
複数伴奏パターンのうちの１つの伴奏パターンを自動伴奏する自動伴奏部と、
入力装置の操作に基づいて切換タイミングを検出する伴奏パターン切換部とを具備し、
前記自動伴奏部は、
前記切換タイミングで前記複数伴奏パターンのうちの第１パターンから前記複数伴奏パターンのうちの第２パターンに移行して自動演奏する場合で、
前記切換タイミングより前の第１時刻に鳴り始めて前記切換タイミングより後の第２時刻に鳴り終わる第１楽音を前記第１パターンが有し、
前記切換タイミングより前の第３時刻に鳴り始めて前記切換タイミングより後の第４時刻に鳴り終わる第２楽音を前記第２パターンが有し、
前記第１楽音の音高が前記第２楽音の音高と等しいときに、
前記第１楽音が前記第４時刻に鳴り終わるように自動伴奏する
電子楽器。
【請求項２】
請求項１において、
前記自動伴奏部は、
前記切換タイミングで前記複数伴奏パターンのうちの第３パターンから前記複数伴奏パターンのうちの第４パターンに移行して自動演奏する場合で、
前記切換タイミングより前の第５時刻に鳴り始めて前記切換タイミングより後の第６時刻に鳴り終わる第３楽音を前記第４パターンが有し、
前記切換タイミングより前の第７時刻に鳴り始めて前記切換タイミングより後の第８時刻に鳴り終わり、前記第３楽音に音高が等しい第４楽音を前記第３パターンが有しないときに、
前記第３楽音がならないように自動伴奏する
電子楽器。
【請求項３】
複数伴奏パターンのうちの１つの伴奏パターンを自動伴奏する自動伴奏部と、
入力装置の操作に基づいて切換タイミングを検出する伴奏パターン切換部とを具備し、
前記自動伴奏部は、
切換タイミングで前記複数伴奏パターンのうちの第１パターンから前記複数伴奏パターンのうちの第２パターンに移行して自動演奏する場合で、
前記切換タイミングより前の第１時刻に鳴り始めて前記切換タイミングより後の第２時刻に鳴り終わる第１楽音を前記第１パターンが有し、
前記切換タイミングより前の第３時刻に鳴り始めて前記切換タイミングより後の第４時刻に鳴り終わる第２楽音を前記第２パターンが有し、
前記第１楽音の音高が前記第２楽音の音高と等しく、
前記第１楽音の音色が前記第２楽音の音色と等しいときに、
前記第１楽音が前記第４時刻に鳴り終わるように自動伴奏する
電子楽器。
【請求項４】
請求項３において、
前記自動伴奏部は、
前記切換タイミングで前記複数伴奏パターンのうちの第３パターンから前記複数伴奏パターンのうちの第４パターンに移行して自動演奏する場合で、
前記切換タイミングより前の第５時刻に鳴り始めて前記切換タイミングより後の第６時刻に鳴り終わる第３楽音を前記第４パターンが有し、かつ、
前記切換タイミングより前の第７時刻に鳴り始めて前記切換タイミングより後の第８時刻に鳴り終わり、前記第３楽音に音高と音色とが等しい第４楽音を前記第３パターンが有しないときに、
前記第３楽音がならないように自動伴奏する
電子楽器。
【請求項５】
請求項１〜請求項４のいずれかにおいて、
演奏用入力装置の操作に応答して演奏楽音を発生させる演奏部
を更に具備する電子楽器。
【発明の詳細な説明】
【技術分野】
【０００１】
本発明は、電子楽器に関し、特に、自動伴奏する電子楽器に関する。
【背景技術】
【０００２】
自動伴奏する電子楽器が知られている。このような電子楽器は、複数の伴奏パターンを記録し、その複数の伴奏パターンのうちの１つの伴奏パターンを自動的に演奏している。その複数の伴奏パターンは、それぞれ、所定の時間（たとえば、小節）に奏でられる旋律を示し、その所定の時間毎に開始されるように設定される。
【０００３】
その電子楽器は、さらに、自動伴奏している途中で、その複数の伴奏パターンのうちの１つの伴奏パターンから他の伴奏パターンに切り換えて自動演奏することができる。その電子楽器は、伴奏パターンを切り換えるための操作がされたタイミングの直後に現れる小節の区切りの時刻で、それまで自動伴奏されていた伴奏パターンを終了し、他の伴奏パターンを自動伴奏し始める。その電子楽器は、または、伴奏パターンを切り換えるための操作がされたタイミングで、それまで自動伴奏されていた伴奏パターンを終了し、他の伴奏パターンを自動伴奏し始める。
【０００４】
自動伴奏される伴奏パターンの途中のタイミングで伴奏パターンを切り換えて自動伴奏するときに、そのタイミングで感覚される不連続感を低減する電子楽器が望まれている。
【０００５】
特開平０８−６３１６２号公報には、演奏パターンが変更されることに伴う処理装置の負担を軽減して処理効率を高めることのできる自動演奏装置が開示されている。その自動演奏装置は、少なくともキーコードが含まれた楽音データを出力することにより自動演奏を行わせる自動演奏装置において、複数パートのパターンデータを記憶している第１の記憶手段と、該第１の記憶手段から読み出されたパターンデータに応じて新たに発音すべき音に対応した新楽音データを作成する作成手段と、現在発音中の音に対応した現楽音データを記憶している第２の記憶手段と、該第２の記憶手段に記憶されている現楽音データに含まれるキーコードと、前記作成手段で作成された新楽音データに含まれるキーコードとが同一であれば、該新楽音データの出力を抑止する制御手段、とを備えたことを特徴としている。
【０００６】
【特許文献１】特開平０８−６３１６２号公報
【発明の開示】
【発明が解決しようとする課題】
【０００７】
本発明の課題は、自動伴奏される２つの伴奏パターンを切り換えるタイミングで感覚される不連続感を低減する電子楽器を提供することにある。
【課題を解決するための手段】
【０００８】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００９】
本発明による電子楽器（１０）は、複数伴奏パターンのうちの１つの伴奏パターンを自動伴奏する自動伴奏部（４）と、入力装置の操作に基づいて切換タイミング（ｔ１）を検出する伴奏切換部（５）とを更に備えている。自動伴奏部（４）は、切換タイミング（ｔ１）で複数伴奏パターンのうちの第１パターンから複数伴奏パターンのうちの第２パターンに移行して自動演奏する場合で、切換タイミング（ｔ１）より前の第１時刻（ｔ２）に鳴り始めて切換タイミング（ｔ１）より後の第２時刻（ｔ３）に鳴り終わる第１楽音（１１）を第１パターンが有している。切換タイミング（ｔ１）より前の第３時刻（ｔ４）に鳴り始めて切換タイミング（ｔ１）より後の第４時刻（ｔ５）に鳴り終わる第２楽音（１２）を第２パターンが有している。第１楽音（１１）の音高が第２楽音（１２）の音高と等しいときに、第１楽音（１１）が第４時刻（ｔ５）に鳴り終わるように自動伴奏する。
【００１０】
自動伴奏部（４）は、切換タイミング（ｔ１）で複数伴奏パターンのうちの第３パターンから複数伴奏パターンのうちの第４パターンに移行して自動演奏する場合で、切換タイミング（ｔ１）より前の第５時刻に鳴り始めて切換タイミング（ｔ１）より後の第６時刻に鳴り終わる第３楽音を第４パターンが有している。切換タイミング（ｔ１）より前の第７時刻に鳴り始めて切換タイミング（ｔ１）より後の第８時刻に鳴り終わり、第３楽音に音高が等しい第４楽音を第３パターンが有しないときに、第３楽音がならないように自動伴奏する。
【００１１】
本発明による電子楽器（１０）は、複数伴奏パターンのうちの１つの伴奏パターンを自動伴奏する自動伴奏部（４）と、入力装置の操作に基づいて切換タイミング（ｔ１）を検出する伴奏切換部（５）とを更に備えている。自動伴奏部（４）は、切換タイミング（ｔ１）で複数伴奏パターンのうちの第１パターンから複数伴奏パターンのうちの第２パターンに移行して自動演奏する場合で、切換タイミング（ｔ１）より前の第１時刻（ｔ２）に鳴り始めて切換タイミング（ｔ１）より後の第２時刻（ｔ３）に鳴り終わる第１楽音（１１）を第１パターンが有している。切換タイミング（ｔ１）より前の第３時刻（ｔ４）に鳴り始めて切換タイミング（ｔ１）より後の第４時刻（ｔ５）に鳴り終わる第２楽音（１２）を第２パターンが有している。第１楽音（１１）の音高が第２楽音（１２）の音高と等しく、第１楽音（１１）の音色が第２楽音（１２）の音色と等しいときに、第１楽音（１１）が第４時刻（ｔ５）に鳴り終わるように自動伴奏する。
【００１２】
自動伴奏部（４）は、切換タイミング（ｔ１）で複数伴奏パターンのうちの第３パターンから複数伴奏パターンのうちの第４パターンに移行して自動演奏する場合で、切換タイミング（ｔ１）より前の第５時刻に鳴り始めて切換タイミング（ｔ１）より後の第６時刻に鳴り終わる第３楽音を第４パターンが有している。かつ、切換タイミング（ｔ１）より前の第７時刻に鳴り始めて切換タイミング（ｔ１）より後の第８時刻に鳴り終わり、第３楽音に音高と音色とが等しい第４楽音を第３パターンが有しないときに、第３楽音がならないように自動伴奏する。
【００１３】
本発明による電子楽器（１０）は、演奏用入力装置（６）の操作に応答して演奏楽音を発生させる演奏部（３）を更に備えている。
【発明の効果】
【００１４】
本発明による電子楽器は、自動伴奏される２つの伴奏パターンを切り換えるタイミングで感覚される不連続感を低減することができる。
【発明を実施するための最良の形態】
【００１５】
図面を参照して、本発明による電子楽器の実施の形態を記載する。その電子楽器１０は、図１に示されているように、電子楽器本体１が入力装置を備えている。その入力装置は、鍵盤６とパネル７とから形成されている。鍵盤６は、複数の鍵を備えている。複数の鍵は、複数の白鍵と複数の黒鍵とから形成され、それぞれ、音高が互いに異なる複数の楽音に対応している。鍵盤６は、打鍵された鍵とその打鍵強度とを示す電気信号を電子楽器本体１に出力する。パネル７は、複数のスイッチを備えている。その複数のスイッチは、自動伴奏スイッチと自動演奏スイッチとパターン切り換えスイッチとエクスプレッションペダルとイコライザーつまみとを備えている。パネル７は、その複数のスイッチのうちの押下されたスイッチを示す電気信号を電子楽器本体１に出力する。なお、パネル７は、そのスイッチとして、複数の白鍵と複数の黒鍵とから形成される複数の鍵を備えることもできる。
【００１６】
電子楽器１０は、さらに、スピーカ９を備えている。スピーカ９は、電子楽器本体１により生成された電気信号を音に変換し、電子楽器本体１により生成された情報に基づいて音を出力する。
【００１７】
電子楽器本体１は、図示されていないＣＰＵと記憶装置とを備えている。そのＣＰＵは、電子楽器本体１にインストールされているコンピュータプログラムを実行して、鍵盤６とパネル７とスピーカ９とを制御する。その記憶装置は、ＲＡＭまたはＲＯＭであり、そのコンピュータプログラムを記録し、そのＣＰＵにより生成された情報を一時的に記録する。
【００１８】
電子楽器本体１は、コンピュータプログラムである伴奏パターンデータベース２と演奏部３と自動伴奏部４と伴奏切換部５とがインストールされている。伴奏パターンデータベース２は、複数の伴奏パターンを記憶装置に記録している。その伴奏パターンは、旋律を示し、リズムを伴った複数の楽音から構成されている。伴奏パターンデータベース２は、さらに、複数の伴奏パターンをパネル７の操作に対応付けている。
【００１９】
演奏部３は、鍵盤６の操作に基づいて楽音をスピーカ９から発生させる。すなわち、演奏部３は、鍵盤６のうちの打鍵された鍵に対応する楽音をスピーカ９から出力する。演奏部３は、さらに、その鍵の打鍵強度に対応する効果をその楽音に付加し、たとえば、その打鍵強度が大きいほどその楽音の音量を大きくする。
【００２０】
自動伴奏部４は、伴奏パターンデータベース２により記録される複数の伴奏パターンのうちからパネル７の操作に対応する１つの伴奏パターンを選択し、その１つの伴奏パターンが示す楽音をスピーカ９から発生させる。その複数の伴奏パターンは、それぞれ、所定の時間（たとえば、小節）に奏でられる旋律を示し、その所定の時間毎に開始されるように設定される。
【００２１】
伴奏切換部５は、パネル７の操作に基づいて切換タイミングを検出し、自動伴奏部４により自動演奏される伴奏パターンを他の伴奏パターンに切り換える。すなわち、自動伴奏部４は、ユーザによりパネル７が伴奏パターンに対応する操作をされた時刻を切換タイミングとして検出し、その切換タイミングで自動伴奏される伴奏パターンが第１伴奏パターンから第２伴奏パターンに切り換える。このとき、伴奏切換部５は、その第１伴奏パターンの楽音のうちのその切換タイミングより前に鳴り始める楽音を発音し、その第２伴奏パターンの楽音のうちのその切換タイミングより後に鳴り始める楽音を発音する。
【００２２】
図２は、自動伴奏部４により自動伴奏される伴奏パターンが第１伴奏パターンから第２伴奏パターンに切り換えるときに、自動伴奏部４により出力される楽音を詳細に示している。その第１伴奏パターンは、楽音１１を有している。楽音１１は、伴奏切換部５により検出された切換タイミングｔ１を跨いで発音されるように設定されている。すなわち、楽音１１は、切換タイミングｔ１より前の時刻ｔ２に鳴り始め、切換タイミングｔ１より後の時刻ｔ３に鳴り終わるように設定されている。その第２伴奏パターンは、楽音１２を有している。楽音１２は、伴奏切換部５により検出された切換タイミングｔ１を跨いで発音されるように設定されている。すなわち、楽音１２は、切換タイミングｔ１より前の時刻ｔ４に鳴り始め、切換タイミングｔ１より後の時刻ｔ５に鳴り終わるように設定されている。
【００２３】
自動伴奏部４は、楽音１２の音色と音高とがそれぞれ楽音１１の音色と音高と等しいときに、楽音１３を発音する。楽音１３は、時刻ｔ２に鳴り始めて時刻ｔ５に鳴り終わる。さらに、自動伴奏部４は、その第１伴奏パターンの楽音のうちのその切換タイミングより前に鳴り始めて鳴り終わる楽音をすべて発音する。自動伴奏部４は、切換タイミングｔ１を跨いで発音される楽音であり、かつ、音色と音高とが楽音１１と等しい楽音を第２伴奏パターンが有していないときに、時刻ｔ２に鳴り始めて時刻ｔ１に鳴り終わる楽音を発音する。さらに、自動伴奏部４は、切換タイミングｔ１を跨いで発音される楽音であり、かつ、音色と音高とが楽音１２と等しい楽音を第１伴奏パターンが有していないときに、楽音１２を発音しない。このとき、電子楽器１０は、ユーザにより切換タイミングｔ１で感覚される不連続感を低減することができる。
【００２４】
図３は、電子楽器１０の動作を示している。すなわち、電子楽器１０は、電源が投入されると、まず、記憶装置のうちのワークエリアに記憶されるカウンタ、フラグ等を初期化する（ステップＳ１）。電子楽器１０は、次いで、イベント検出を実行し（ステップＳ２）、恒常処理を実行する（ステップＳ３）。電子楽器１０は、恒常処理を実行した後に、再度、イベント検出を実行し、すなわち、イベント検出と恒常処理とを繰り返して実行する。
【００２５】
電子楽器１０の動作は、さらに、割り込み処理を備えている。図４は、その割り込み処理を示している。その割り込み処理は、図３の動作と並行して定期的に間欠的に実行され、たとえば、２ｍｓ毎に実行される。電子楽器１０は、その割り込み処理で、変数ｄｔをインクリメントし、すなわち、変数ｄｔの値に１を加えた値を変数ｄｔに代入する（ステップＳ４）。
【００２６】
図５は、イベント検出の動作を示している。電子楽器１０は、鍵盤６のうちのいずれかの鍵が操作されたかどうかを判別する（ステップＳ５）。電子楽器１０は、鍵盤６のうちのいずれかの鍵が打鍵されたときに、その鍵に対応する楽音を発音し、鍵盤６のうちのいずれかの鍵が離鍵されたときに、その鍵に対応する楽音を消音する（ステップＳ６）。電子楽器１０は、さらに、その鍵の打鍵強度に対応する効果をその楽音に付加し、たとえば、その打鍵強度が大きいほどその楽音の音量を大きくして出力する。電子楽器１０は、次いで、パネル７のいずれかのスイッチが操作されたかどうかを判別する（ステップＳ７）。電子楽器１０は、パネル７のいずれかのスイッチが操作されたときにパネル処理を実行する（ステップＳ８）。
【００２７】
図６は、そのパネル処理の動作を示している。電子楽器１０は、そのパネル処理で、まず、パネル７の自動伴奏スイッチがＯＮされたときに（ステップＳ１１、ＹＥＳ）、変数ＡＰにＯＮを代入し、変数ｔｃに０を代入し、変数ｔｂに０を代入する（ステップＳ１２）。電子楽器１０は、パネル７の自動演奏スイッチがＯＮされたときに（ステップＳ１３、ＹＥＳ）、変数ＳＦにＯＮを代入し、変数ｓｃに０を代入し、変数ｓｂに０を代入する（ステップＳ１４）。電子楽器１０は、パネル７のパターン切換スイッチがＯＮされたときに（ステップＳ１５、ＹＥＳ）、変数ＣＦにＯＮを代入する（ステップＳ１６）。電子楽器１０は、パネル７のエクスプレッションペダルが操作されたときに（ステップＳ１７、ＹＥＳ）、変数ＥＸＰにエクスプレッションペダルの値を代入する（ステップＳ１４）。電子楽器１０は、パネル７のイコライザーつまみが操作されたときに（ステップＳ１９、ＹＥＳ）、変数ＴＥＱにイコライザーつまみの値を代入する（ステップＳ２０）。
【００２８】
図７は、その恒常処理の動作を示している。電子楽器１０は、その恒常処理で、まず、変数ｔ０に変数ｄｔの値を代入し（ステップＳ２１）、変数ｄｔに０を代入する（ステップＳ２２）。すなわち、変数ｄ０は、前回に本恒常処理が実行されてから今までの時間を示している。電子楽器１０は、その変数ｄ０の値に基づいて、本電子楽器１０が発音している楽音のビブラート・トレモロなどの効果を進める（ステップＳ２３）。
【００２９】
電子楽器１０は、変数ＡＦがＯＮであるときに（ステップＳ２４、ＯＮ）、変数ｔｂに変数ｔｃの値を代入し、変数ｔｃに変数ｔｃの値と変数ｔ０の値との和を代入する。このとき、変数ｔｂは、自動伴奏された時間を示し、変数ｔｃは、自動伴奏が始まってから今までの時間を示している。電子楽器１０は、次いで、伴奏パターンのうち、変数ｔｂにより示される位置から変数ｔｃにより示される位置までを自動演奏する（ステップＳ２５）。
【００３０】
電子楽器１０は、変数ＣＦがＯＮであるときに（ステップＳ２６、ＯＮ）、次に恒常処理が実行されたときに自動伴奏されるパターンを生成する（ステップＳ２７）。すなわち、電子楽器１０は、それまで自動伴奏されていた第１伴奏パターンを終了し、パネル７の操作に対応する第２伴奏パターンを自動演奏し始めるように設定される。このとき、その第２伴奏パターンは、その第１伴奏パターンが開始された時刻に開始されて発音されるように、設定される。
【００３１】
ここで、その第１伴奏パターンが、図２に示されているように、時刻ｔ２に鳴り始めて時刻ｔ３に鳴り終わる楽音１１を有し、その第２伴奏パターンが時刻ｔ４に鳴り始めて時刻ｔ５に鳴り終わる楽音１２を有している場合で、楽音１２の音色と音高とがそれぞれ楽音１１の音色と音高と等しいときに、電子楽器１０は、時刻ｔ２に鳴り始めて時刻ｔ５に鳴り終わる楽音１３を発音する。さらに、電子楽器１０は、切換タイミングｔ１を跨いで発音される楽音であり、かつ、音色と音高とが楽音１１と等しい楽音を第２伴奏パターンが有していないときに、時刻ｔ２に鳴り始めて時刻ｔ１に鳴り終わる楽音を発音する。さらに、電子楽器１０は、切換タイミングｔ１を跨いで発音される楽音であり、かつ、音色と音高とが楽音１２と等しい楽音を第１伴奏パターンが有していないときに、楽音１２を発音しない。このような伴奏パターンは、ユーザにより切換タイミングｔ１で感覚される不連続感を低減することができる。
【００３２】
電子楽器１０は、変数ＳＦがＯＮであるときに（ステップＳ２８、ＯＮ）、変数ｓｂに変数ｓｃの値を代入し、変数ｓｃに変数ｓｃの値と変数ｔ０の値との和を代入する。このとき、変数ｓｂは、自動演奏された時間を示し、変数ｓｃは、自動演奏が始まってから今までの時間を示している。電子楽器１０は、次いで、演奏パターンのうち、変数ｓｂにより示される位置から変数ｓｃにより示される位置までを自動演奏する（ステップＳ２９）。
【００３３】
電子楽器１０は、発音が終了しているリソースを解放する（ステップＳ３０）。電子楽器１０は、次いで、エクスプレッションペダルの踏み込み量に変化があったときに、発音される楽音にエクスプレッションペダルの踏み込み量を反映させ、エクスプレッションペダルの踏み込み量に対応する音量で楽音が発音されるように設定する（ステップＳ３１）。電子楽器１０は、次いで、イコライザーつまみの回転量に変化があったときに、発音される楽音にイコライザーつまみの回転量を反映させ、イコライザーつまみの回転量に対応する音色で楽音が発音されるように設定する（ステップＳ３２）。
【００３４】
このような動作によれば、電子楽器１は、さらに、ユーザによるパネル７の操作に基づいて、記録装置により記録される複数の伴奏パターンのうちの１つの伴奏パターンが示す楽音をスピーカ９から出力する。このとき、電子楽器１は、自動伴奏している場合で、鍵盤６のうちの鍵が打鍵されたときに、自動伴奏の楽音とその鍵に対応する楽音とを同時に発音する。電子楽器１０は、さらに、ユーザにより切換タイミングｔ１で感覚される自動伴奏の不連続感を低減することができる。
【図面の簡単な説明】
【００３５】
【図１】図１は、本発明による電子楽器の実施の形態を示すブロック図である。
【図２】図２は、伴奏パターンを切り換えるときに出力される楽音を示すグラフである。
【図３】図３は、電子楽器の動作を示すフローチャートである。
【図４】図４は、割り込み処理の動作を示すフローチャートである。
【図５】図５は、イベント検出の動作を示すフローチャートである。
【図６】図６は、パネル処理の動作を示すフローチャートである。
【図７】図７は、恒常処理の動作を示すフローチャートである。
【符号の説明】
【００３６】
１  ：電子楽器本体
２  ：伴奏パターンデータベース
３  ：演奏部
４  ：自動伴奏部
５  ：伴奏切換部
６  ：鍵盤
７  ：パネル
９  ：スピーカ
１０：電子楽器
１１：楽音
１２：楽音
１３：楽音
【図１】
2006292954.tif 000003
【図２】
2006292954.tif 000004
【図３】
2006292954.tif 000005
【図４】
2006292954.tif 000006
【図５】
2006292954.tif 000007
【図６】
2006292954.tif 000008
【図７】
2006292954.tif 000009